(57)【要約】【課題】異なる仕様に対して部品を共通化することができる電気接続箱を提供する。【解決手段】接続箱本体３が、第１溝部３１と第２溝部３２とを連通させる連通部としての区画部３７と、第１溝部３１に連続した第１電気接続凹部３５と、第２溝部３２に連続した第１電気接続凹部３６と、を有する。これにより、第１板部２１と第２板部２２とが一体に形成されたバスバ２Ａと、別体に形成されたバスバ２Ｂと、に対して接続箱本体３を共通化することができる。【選択図】図１
2020188533.tif 000002
【特許請求の範囲】
【請求項１】
第１板部および第２板部を一体または別体に有するバスバと、
前記第１板部を収容する第１溝部、前記第１溝部に対して間隔をあけて並ぶとともに前記第２板部を収容する第２溝部、前記第１溝部および前記第２溝部の一端部同士を連通させる連通部、前記第１溝部に連続した第１電気接続凹部、及び、前記第２溝部に連続した第２電気接続凹部を有する接続箱本体と、を備えることを特徴とする電気接続箱。
【請求項２】
前記バスバは、前記第１板部と前記第２板部とを連結するとともに前記連通部に配置される連結部を有し、前記第１板部に接続されるとともに前記第１電気接続凹部に配置される第１接続部と、前記第２板部に接続されるとともに前記第２電気接続凹部に配置される第２接続部と、のうち少なくとも一方を有することを特徴とする請求項１に記載の電気接続箱。
【請求項３】
前記バスバは、前記第１板部と前記第２板部とが別体に構成され、前記第１板部に連続するとともに前記第１電気接続凹部に配置される第１接続部と、前記第２板部に連続するとともに前記第２電気接続凹部に配置される第２接続部と、を有することを特徴とする請求項１に記載の電気接続箱。
【請求項４】
前記第１板部および前記第２板部は、前記連通部側の端縁が折り返された折り返し部をそれぞれ有することを特徴とする請求項３に記載の電気接続箱。
【発明の詳細な説明】
【技術分野】
【０００１】
本発明は、電気接続箱に関するものである。
【背景技術】
【０００２】
従来、車両に搭載される電気接続箱として、ベース回路を構成する複数のバスバがベース箱本体（接続箱本体）に装着されるものが提案されている（例えば、特許文献１参照）。特許文献１に記載された電気接続箱では、ベース箱本体にバスバ装着溝が形成されており、装着された複数のバスバのうち一部が、間隔をあけつつ略平行に並ぶように配置される。
【先行技術文献】
【特許文献】
【０００３】
【特許文献１】特開２０１８−７４２４号公報
【発明の概要】
【発明が解決しようとする課題】
【０００４】
特許文献１に記載されたように車両に搭載される電気接続箱では、車種等によって仕様が決定され、仕様に応じたバスバが用いられる。即ち、仕様に応じてバスバ形状が決定され、さらにバスバ形状に応じて接続箱本体の形状が決定される。従って、仕様が異なる場合に電気接続箱の各部を共通化することが困難であった。
【０００５】
本発明の目的は、異なる仕様に対して部品を共通化することができる電気接続箱を提供することにある。
【課題を解決するための手段】
【０００６】
本願発明の電気接続箱は、第１板部および第２板部を一体または別体に有するバスバと、前記第１板部を収容する第１溝部、前記第１溝部に対して間隔をあけて並ぶとともに前記第２板部を収容する第２溝部、前記第１溝部および前記第２溝部の一端部同士を連通させる連通部、前記第１溝部に連続した第１電気接続凹部、及び、前記第２溝部に連続した第２電気接続凹部を有する接続箱本体と、を備えることを特徴とする。
【発明の効果】
【０００７】
このような本願発明の電気接続箱によれば、第１板部と第２板部とが一体である場合と別体である場合とで接続箱本体を共通化することができる。即ち、第１板部と第２板部とが一体である場合には、第１電気接続凹部と第２電気接続凹部とのうち少なくとも一方において、板部に連続した部分に対して電線や他の金具を接続することにより、バスバ全体を外部機器と電気的に接続することができる。一方、第１板部と第２板部とが別体である場合には、第１電気接続凹部および第２電気接続凹部のそれぞれにおいて、板部に連続した部分に対して電線や他の金具を接続することにより、バスバ全体を外部機器と電気的に接続することができる。従って、バスバ形状を適宜に設定することにより、異なる仕様に対して接続箱本体を共通化することができる。
【図面の簡単な説明】
【０００８】
【図１】本発明の第１実施形態に係る電気接続箱を示す下面図である。
【図２】前記電気接続箱のバスバを示す斜視図である。
【図３】本発明の第２実施形態に係る電気接続箱を示す下面図である。
【図４】前記電気接続箱のバスバを示す斜視図である。
【発明を実施するための形態】
【０００９】
以下、本発明の各実施形態を図面に基づいて説明する。尚、第２実施形態においては、第１実施形態で説明する構成部材と同じ構成部材及び同様な機能を有する構成部材には、第１実施形態と同じ符号を付すとともに説明を省略する。
【００１０】
［第１実施形態］
本実施形態の電気接続箱１Ａは、図１に示すように、バスバ２Ａと、接続箱本体３と、を備えるヒューズボックスである。電気接続箱１Ａは、接続方向を高さ方向として全体が略直方体形状を有し、本実施形態では高さ方向をＺ方向とし、水平面内において互いに直交する２方向をＸ方向およびＹ方向とする。
【００１１】
バスバ２Ａは、銅やアルミニウム等の導電性金属の板材によって構成され、図２にも示すように、第１板部２１と、第２板部２２と、第１接続板２３と、第２接続板２４と、連結部２５と、を一体に有する。
【００１２】
第１板部２１は、ＺＸ平面に沿った平板状に形成され、Ｚ方向の一端縁から複数の端子部２１１が突出している。第２板部２２は、ＺＸ平面に沿った平板状に形成され、Ｚ方向の一端縁から複数の端子部２２１が突出している。第１板部２１と第２板部２２とは、Ｙ方向において間隔をあけて並び、互いに平行に配置されている。
【００１３】
第１接続板２３は、ＺＸ平面に沿った平板状に形成され、第３板部２６を介して第１板部２１に接続される。第３板部２６は、ＹＺ平面に沿った板状に形成されるとともに、第１板部２１のＸ方向一方側端縁に連続し、第２板部２２から離れる方向に向かって延びる。即ち、第１接続板２３は、第１板部２１を基準として第２板部２２から離れた位置において平行に延びている。
【００１４】
第１板部２１と第３板部２６と第１接続板２３とが、第１バスバ部２０Ａを構成する。第１バスバ部２０Ａは、Ｘ方向の他方側から一方側にかけて、ＺＸ平面に沿って延びた後（第１板部２１）、第２板部２２から離れるようにＹＺ平面に沿って延び（第３板部２６）、さらにＸ方向一方側に向かってＺＸ平面に沿って延びる（第１接続板２３）。
【００１５】
第１接続板２３には、貫通孔２３１が形成されており、貫通孔２３１にボルトを挿通してナットと締結することにより、外部電線が第１接続板２３に接続されるようになっている。即ち、貫通孔２３１が第１接続部として機能するようになっている。
【００１６】
第２接続板２４は、第２板部２２がＸ方向一方側に延長されたものであって、端子部２２１と反対側に突出した凸状の第２接続部２４１を有する。第２板部２２と第２接続板２４とが、第２バスバ部２０Ｂを構成する。
【００１７】
連結部２５は、ＸＹ平面に沿って延び、第１板部２１の下端縁と第２板部２２の下端縁とを連結する。これにより、第１板部２１と第２板部２２とが一体に形成されている。即ち、第１バスバ部２０Ａと第２バスバ部２０Ｂとが一体化され、バスバ２Ａは一部品により構成されている。バスバ２Ａは、連結部２５を有することにより、第１接続板２３に外部電線が接続された際に、第１板部２１と第２板部２２との両方に電力が供給されるようになっている。尚、本実施形態では、連結部２５は、第１板部２１の一部と第２板部２２の一部とを連結しているが、第１板部２１の全体と第２板部２の全体とを連結してもよい。
【００１８】
接続箱本体３は、絶縁性の合成樹脂によって略直方体に形成され、Ｚ方向の上面が装着面となり、下面が閉塞面となる。即ち、接続箱本体３は、上面側に複数のヒューズ装着部を有するとともに、下面側が下ケース等によって覆われるようになっている。
【００１９】
接続箱本体３の下面側には、第１溝部３１と、第２溝部３２と、第３溝部３３と、第４溝部３４と、第２電気接続凹部３６と、が形成されている。接続箱本体３の上面側には、第１電気接続凹部３５が形成されている。
【００２０】
第１溝部３１は、ＺＸ平面に沿って延びる溝部であって、バスバ２の第１板部２１が収容される。第２溝部３２は、ＺＸ平面に沿って延びる溝部であって、バスバ２の第２板部２２が収容される。第３溝部３３は、ＹＺ平面に沿って延びる溝部であって、バスバ２の第３板部２６が収容される。第４溝部３４は、ＺＸ平面に沿って延びる溝部であって、第１接続板２３の基端部分（第３板部２６側の部分）が収容される。
【００２１】
第１電気接続凹部３５は、第４溝部３４の先端に連続するように形成されており、第３溝部３３および第４溝部３４を介して第１溝部３１に連続している。第１電気接続凹部３５には、第１接続板２３のうち貫通孔２３１が形成された部分が収容される。これにより、第１接続板２３に対して外部電線を接続した場合に、外部電線の先端に設けられた端子金具や固定用のボルトおよびナットが、第１電気接続凹部３５に収容されるようになっている。
【００２２】
第２電気接続凹部３６は、第２溝部３２のＸ方向一端側に連続し、第２接続板２４が収容される。第２電気接続凹部３６は、雌型のコネクタハウジングとして機能し、外部コネクタを構成する雄型のコネクタハウジングと嵌合可能となっている。
【００２３】
第１溝部３１に対して第２溝部３２の反対側には立設壁３１１が形成されており、第２溝部３２に対して第１溝部３１の反対側には立設壁３２１が形成されている。接続箱本体３のうち第１溝部３１と第２溝部３２との間に位置する区画部３７は、立設壁３１１、３２１よりも突出寸法が小さい。これにより、区画部３７のＺ方向下方領域が、第１溝部３１および第２溝部３２の下端部同士を連通させる連通部として機能し、連結部２５が配置されるようになっている。
【００２４】
接続箱本体３にバスバ２Ａが収容されると、各ヒューズ装着部に各端子部２１１、２２１が配置される。これにより、ヒューズがヒューズ装着部に装着され、端子部２１１、２２１と電気的に接続される。
【００２５】
このような本実施形態によれば、以下のような効果がある。即ち、後述する第２実施形態のように第１板部２１と第２板部２２とが別体である場合と接続箱本体３を共通化することができる。
【００２６】
［第２実施形態］
本実施形態の電気接続箱１Ｂは、図３に示すように、バスバ２Ｂと、接続箱本体３と、を備えるヒューズボックスである。本実施形態においても、第１実施形態と同様に、電気接続箱１Ｂの高さ方向をＺ方向とし、高さ方向に直交する平面内において互いに直交する２方向をＸ方向およびＹ方向とする。
【００２７】
バスバ２Ｂは、第１板部２１と第１接続板２３と第３板部２６とにより構成される第１バスバ部２０Ａと、第２板部２２と第２接続板２４とにより構成される第２バスバ部２０Ｂと、が別体に構成されている。また、バスバ２Ｂは、第１実施形態のバスバ２Ａとは異なり、連結部２５を有していない。
【００２８】
第１板部２１は、下端縁（第１溝部３１開口側の端縁、即ち連通部側の端縁）の一部が第２板部２２側に折り返された折り返し部２１２を有する。第２板部２２は、下端縁（第２溝部３２開口側の端縁、即ち連通部側の端縁）の一部が第１板部２１側に折り返された折り返し部２２２を有する。尚、折り返し部２１２、２２２のＸ方向寸法およびＺ方向寸法は、電気接続箱１Ｂにおいてバスバ２Ｂが要求される電気的特性や熱的特性に応じて適宜に設定されればよい。
【００２９】
尚、本実施形態におけるバスバ２Ｂは、第１実施形態のバスバ２Ａを適宜に加工することで形成されればよい。即ち、バスバ２Ａにおいて連結部２５を切断するとともに、切断されて第１板部２１および第２板部２２のそれぞれに残った連結部２５の一部を折り返すことにより、折り返し部２１２、２２２を形成すればよい。
【００３０】
本実施形態においては、第１接続板２３に対して外部電線が接続されるだけでなく、第２接続板２４に対して外部コネクタの端子金具が接続される。即ち、第２電気接続凹部３６に対して外部コネクタのコネクタハウジングが嵌合し、外部コネクタの端子金具と第２接続板２４とが接触するようになっている。これにより、第１バスバ部２０Ａに対しては外部電線によって電力が供給され、第２バスバ部２０Ｂに対しては外部コネクタによって電力が供給されるようになっている。
【００３１】
このような本実施形態によれば、以下のような効果がある。即ち、第１実施形態のように第１板部２１と第２板部２２とが別体である場合と接続箱本体３を共通化することができる。
【００３２】
また、第１板部２１および第２板部２２に折り返し部２１２、２２２が形成されていることで、電気接続箱１Ｂにおいてバスバ２Ｂが要求される電気的特性や熱的特性を満足させやすい。また、要求される電気的特性や熱的特性が異なる場合であっても、折り返し部２１２、２２２の寸法を調節することで対応することができ、部品を共通化することができる。
【００３３】
なお、本発明は、前記実施形態に限定されるものではなく、本発明の目的が達成できる他の構成等を含み、以下に示すような変形等も本発明に含まれる。
【００３４】
例えば、前記第２実施形態では、第１板部２１が折り返し部２１１を有し、第２板部２２が折り返し部２２を有するものとしたが、一方の板部のみが折り返し部を有する構成としてもよいし、いずれの板部も折り返し部を有していない構成としてもよく、バスバが要求される電気的特性や熱的特性に応じて折り返し部を形成すればよい。
【００３５】
また、前記実施形態では、電気接続箱１Ａ、１Ｂがヒューズボックスであるものとしたが、電気接続箱は、導電性のバスバと絶縁性の接続箱本体とを備えるものであればよく、ジャンクションボックス等であってもよい。
【００３６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３７】
１Ａ、１Ｂ  電気接続箱
２Ａ、２Ｂ  バスバ
２１        第１板部
２１２      折り返し部
２２        第２板部
２２２      折り返し部
２３１      貫通孔（第１接続部）
２４１      第２接続部
２５        連結部
３          接続箱本体
３１        第１溝部
３２        第２溝部
３５        第１電気接続凹部
３６        第２電気接続凹部
３７        区画部（連通部）
【図１】
2020188533.tif 000003
【図２】
2020188533.tif 000004
【図３】
2020188533.tif 000005
【図４】
2020188533.tif 000006